(57)【要約】【課題】趣きのある和紙の素材を照明具として活用すべく、照明具のハウジングカバーとして和紙を用いることが容易に行い得る照明部材を提供する。【解決手段】本考案の照明部材は、内周面が略円錐台面を構成する雌型部材Ａと、該雌型部材Ａの内周面と嵌合し得る略円錐台面の外周面を有する雄型ランプベースＢとからなる。また、外周面が略円錐台面を構成する雄型部材Ｃと、該雄型部材Ｃの外周面と嵌合し得る，略円錐台面の内周面を有する雌型ランプベースＤとからなる。一例として、雌型部材Ａと雄型ランプベースＢとが、和紙を挟んで嵌合することにより、和紙が雌型部材Ａと雄型ランプベースＢとで圧接されて固定され、和紙の両端部を重ね合わせて筒状に形成することにより、雌型部材Ａと雄型ランプベースＢとで圧接されて固定された和紙は、照明具のハウジングカバーを形成する。【選択図】図１−１
0003124987.tif 000002
【実用新案登録請求の範囲】
【請求項１】
内周面が略円錐台面を構成する雌型部材Ａと；該雌型部材Ａの内周面と嵌合し得る，略円錐台面の外周面を有する雄型ランプベースＢと；からなることを特徴とする組立て照明部材。
【請求項２】
請求項１の組立て照明部材の前記雌型部材Ａに、アーム部がとりつけられたことを特徴とする組立て照明部材。
【請求項３】
請求項１の組立て照明部材の前記雄型ランプベースＢに、アーム部がとりつけられたことを特徴とする組立て照明部材。
【請求項４】
外周面が略円錐台面を構成する雄型部材Ｃと；該雄型部材Ｃの外周面と嵌合し得る，略円錐台面の内周面を有する雌型ランプベースＤと；からなることを特徴とする組立て照明部材。
【請求項５】
請求項４の組立て照明部材の前記雄型部材Ｃに、アーム部がとりつけられたことを特徴とする組立て照明部材。
【請求項６】
請求項４の組立て照明部材の前記雌型ランプベースＤに、アーム部がとりつけられたことを特徴とする組立て照明部材。
【請求項７】
請求項１乃至３のいずれかの組立て照明部材において、前記雄型ランプベースＢに電球もしくは発光ダイオードを備え、前記雌型部材Ａの内周面と前記ランプベースＢの外周面により紙製もしくは屈曲性樹脂製の筒状体Ｃを挟接したことを特徴とする照明具。
【請求項８】
請求項４乃至６のいずれかの組立て照明部材において、前記雌型ランプベースＤに電球もしくは発光ダイオードを備え、前記雄型部材Ｃの外周面と前記ランプベースＤの内周面により紙製もしくは屈曲性樹脂製の筒状体Ｃを挟接したことを特徴とする照明具。
【請求項９】
前記筒状体Ｃが和紙の両端部を重ね合わせて筒状体を形成したものであることを特徴とする請求項７又は請求項８に記載の照明具。
【考案の詳細な説明】
【技術分野】
【０００１】
本考案は、組立て照明部材およびそれを用いた白熱電球もしくはＬＥＤ（Light Emitting Diode）の照明具に関するものである。
【背景技術】
【０００２】
従来から、種々の照明具が知られており、照明器具のランプ本体とハウジングカバーが独立しているものは、ハウジングカバーをランプ本体に、ネジ込んだり、引っ掛けたり、スライドさせたりと様々な取り付け方がある（例えば、特許文献１を参照）。
和室の照明器具としては、ハウジングカバーの部材に合成紙が用いられているものが多く、白熱電灯や蛍光灯のランプ本体に取り付けられている。
【０００３】
特に、趣きを重視する和室では、照明器具のハウジングカバーの部材として和紙が用いられてきた。和紙が昔から照明器具の素材として使われてきたのは、和紙の温かみのある白色を透過した光が、淡く、人に安らぎを与え、また、和紙を通った光が和らいだ雰囲気を醸し出すからである。和紙を用い、行灯などの伝統的なデザインを取り入れた照明器具は、モダンな住空間とも調和する。
【０００４】
かつては、紙幣にも使われた和紙であるが、現在は、照明器具の部材の他、のし紙や祝儀袋や懐紙（かいし）などに使われているものの和紙の需要は年々減少してきており、和紙の業界の活性化のためにも和紙の用途開発が必要である。
【０００５】
【特許文献１】特願平６−３２４０６３号公報
【考案の開示】
【考案が解決しようとする課題】
【０００６】
本考案が解決しようとする課題は、趣きのある和紙の素材を照明具として活用すべく、照明具のハウジングカバーとして和紙を用いることが容易に行い得る照明部材を提供することである。
【課題を解決するための手段】
【０００７】
本考案者は、本部材の形状の様々な検討を行い、特に和紙側に細工をすることなく、照明部のハウジングカバーとして和紙を用いることが可能となるよう試作・改良を重ねた上で、本考案を完成したものである。
上記目的を達成するために、本考案に係る組立て照明部材は、以下の構成を備えるものである。
【０００８】
本考案の組立て照明部材は、上記課題を達成すべく、内周面が略円錐台面を構成する雌型部材Ａと、該雌型部材Ａの内周面と嵌合し得る略円錐台面の外周面を有する雄型ランプベースＢとからなることを特徴とするものである。かかる部材は鉄、アルミなどの金属を使用して鋳造する。
【０００９】
本考案は、上記の構成により、内周面が略円錐台面を構成する雌型部材Ａと、外周面が略円錐台面を構成する雄型ランプベースＢとが、和紙を挟んで嵌合することにより、和紙が雌型部材Ａと雄型ランプベースＢとで圧接されて固定される。和紙の両端部を重ね合わせて筒状に形成することにより、雌型部材Ａと雄型ランプベースＢとで圧接されて固定された和紙は、照明具のハウジングカバーを形成する。
【００１０】
また、本考案の組立て照明部材は、上記の構成に加え、組立て照明部材の雌型部材Ａに、アーム部がとりつけられたことを特徴とする。組立て照明部材の雌型部材Ａに、アーム部がとりつけられることにより、壁掛けタイプで壁の上方を照らす照明具を提供することができる。
詳細は実施例において後述するが、組立て照明部材の雌型部材Ａにアーム部がとりつけられ、雌型部材Ａが逆円錐台状に配置されることで、上方から雄型ランプベースＢが自身の重みで雌型部材Ａと嵌合するので、和紙が安定的に雌型部材Ａと雄型ランプベースＢとで圧接されて固定されることになるのである。
【００１１】
また、本考案の組立て照明部材は、上記の構成に加え、組立て照明部材の雄型ランプベースＢに、アーム部がとりつけられたことを特徴とする。組立て照明部材の雄型ランプベースＢに、アーム部がとりつけられることにより、壁掛けタイプで壁の下方を照らす照明具を提供することができる。
詳細は実施例において後述するが、組立て照明部材の雄型ランプベースＢにアーム部がとりつけられ、雄型ランプベースＢが円錐台状に配置されることで、上方から雌型部材Ａが自身の重みで雄型ランプベースＢと嵌合するので、和紙が安定的に雌型部材Ａと雄型ランプベースＢとで圧接されて固定されることになるのである。
なお、この場合、雄型ランプベースＢにとりつけられるアーム部の長さは、ハウジングカバーとなる筒状和紙の長手方向の長さを考慮して決定される必要がある。
【００１２】
また、本考案の組立て照明部材は、上記課題を達成すべく、外周面が略円錐台面を構成する雄型部材Ｃと；該雄型部材Ｃの外周面と嵌合し得る，略円錐台面の内周面を有する雌型ランプベースＤと；からなることを特徴とするものである。
【００１３】
本考案は、上記の構成により、外周面が略円錐台面を構成する雄型部材Ｃと、内周面が略円錐台面を構成する雌型ランプベースＤとが、和紙を挟んで嵌合することにより、和紙が雄型部材Ｃと雌型ランプベースＤとで圧接されて固定される。和紙の両端部を重ね合わせて筒状に形成することにより、雄型部材Ｃと雌型ランプベースＤとで圧接されて固定された和紙は、照明具のハウジングカバーを形成する。
【００１４】
また、本考案の組立て照明部材は、上記の構成に加え、組立て照明部材の雄型部材Ｃに、アーム部がとりつけられたことを特徴とする。組立て照明部材の雄型部材Ｃに、アーム部がとりつけられることにより、壁掛けタイプで壁の下方を照らす照明具を提供することができる。
詳細は実施例において後述するが、組立て照明部材の雄型部材Ｃにアーム部がとりつけられ、雄型部材Ｃが逆円錐台状に配置されることで、上方から雌型ランプベースＤが自身の重みで雄型部材Ｃと嵌合するので、和紙が安定的に雄型部材Ｃと雌型ランプベースＤとで圧接されて固定されることになるのである。
なお、この場合、雄型部材Ｃにとりつけられるアーム部の長さは、ハウジングカバーとなる筒状和紙の長手方向の長さを考慮して決定される必要がある。
【００１５】
また、本考案の組立て照明部材は、上記の構成に加え、組立て照明部材の雌型ランプベースＤに、アーム部がとりつけられたことを特徴とする。組立て照明部材の雌型ランプベースＤに、アーム部がとりつけられることにより、壁掛けタイプで壁の上方を照らす照明具を提供することができる。
詳細は実施例において後述するが、組立て照明部材の雌型ランプベースＤにアーム部がとりつけられ、雌型ランプベースＤが円錐台状に配置されることで、上方から雄型部材Ｃが自身の重みで雌型ランプベースＤと嵌合するので、和紙が安定的に雄型部材Ｃと雌型ランプベースＤとで圧接されて固定されることになるのである。
【００１６】
次に、本考案の組立て照明部材を用いた照明具は、上記の組立て照明部材において、雄型ランプベースＢに電球もしくは発光ダイオードを備え、雌型部材Ａの内周面とランプベースＢの外周面により紙製もしくは屈曲性樹脂製の筒状体Ｃを挟接したことを特徴とする。
内周面が略円錐台面を構成する雌型部材Ａと、外周面が略円錐台面を構成する雄型ランプベースＢとが、紙製もしくは屈曲性樹脂製の筒状体Ｃを挟接し嵌合することにより、紙製もしくは屈曲性樹脂製の筒状体Ｃが雌型部材Ａと雄型ランプベースＢとで圧接されて固定される。ここで、筒状体Ｃは、紙製もしくは屈曲性樹脂製の素材の両端部を重ね合わせることにより筒状に形成されるものである。雌型部材Ａと雄型ランプベースＢとで圧接されて固定された筒状体Ｃは、照明具のハウジングカバーを形成する。
【００１７】
あるいは、本考案の組立て照明部材を用いた照明具は、上記の組立て照明部材において、雌型ランプベースＤに電球もしくは発光ダイオードを備え、雄型部材Ｃの外周面と雌型ランプベースＤの内周面により紙製もしくは屈曲性樹脂製の筒状体Ｃを挟接したことを特徴とする。
外周面が略円錐台面を構成する雄型部材Ｃと、内周面が略円錐台面を構成する雌型ランプベースＤとが、紙製もしくは屈曲性樹脂製の筒状体Ｃを挟接し嵌合することにより、紙製もしくは屈曲性樹脂製の筒状体Ｃが雄型部材Ｃと雌型ランプベースＤとで圧接されて固定される。ここで、筒状体Ｃは、紙製もしくは屈曲性樹脂製の素材の両端部を重ね合わせることにより筒状に形成されるものである。雄型部材Ｃと雌型ランプベースＤとで圧接されて固定された筒状体Ｃは、照明具のハウジングカバーを形成する。
【００１８】
天井吊り下げ照明もしくは天井取付け照明等の電灯タイプの場合、雄型ランプベースＢは天井の吊り下げ部もしくは天井部と係止し得る連結機構を介して取り付けることができる。
また、床や棚に直置きする行灯タイプの場合、雌型部材Ａを支える脚部を用意して設置することができる。
また、ブラケット等の壁掛けタイプの場合、前述したアーム部を設けることで壁に取り付けることができる。
【００１９】
また、本考案の組立て照明部材を用いた照明具は、上記の筒状体Ｃが和紙の両端部を重ね合わせて筒状体を形成したものであることを特徴とする。
ここで、和紙の両端部を重ね合わせる際に糊付けして筒状体の形状を保持するようにしてもよい。和紙の両端部を糊付けしなくとも、和紙が雌型部材Ａと雄型ランプベースＢとで圧接されて固定されるため、筒状体の形状を保持することができる。
また、筒状体Ｃの形状は完全に筒状体を形成しなくてもよい。和紙が照明部のハウジングカバーとして機能する程度に雄型ランプベースＢを覆うことで足り、雄型ランプベースＢの周囲を完全に覆うことまで必要とはしない。
【考案の効果】
【００２０】
本考案に係る組立て照明部材は、上記の通り構成されているので、次に記載する効果を奏する。
本考案に係る組立て照明部材によれば、平面の紙製もしくは屈曲性を有する樹脂製の素材、特に趣きのある和紙を利用して、容易にかつ確実に照明具のハウジングカバーを構築することができる。
【００２１】
また、平面の紙製もしくは屈曲性を有する樹脂製の素材を照明具のハウジングカバーとして利用するため、輸送スペース及び保管スペースを大幅に低減せしめ、輸送及び保管が容易である。更に、組立及び分解が容易である。
また、季節に応じて、照明具のハウジングカバーの素材（例えば、和紙の種類、模様・柄など。）を簡便に変更することができる。
【００２２】
また、雌型部材Ａ或いは雌型ランプベースＤの外周面の制約がないので、これら外周面に自由度の高いデザインを施すことができ装飾性を向上せしめることができる。
また、直接的な効果ではないが、本考案に係る組立て照明部材により、和紙の利用が促進され、和紙の業界が活性化することが期待できよう。
【考案を実施するための最良の形態】
【００２３】
以下、本考案の一実施例を図面に基づいて説明する。
図１−１および図１−２に、本考案に係る組立て照明部材を示す。
図１−１において、１は雌型部材Ａで、２は雄型ランプベースＢである。雌型部材Ａ（１）の内周面１１は円錐台面を形成し、また雄型ランプベースＢ（２）の外周面２１は雌型部材Ａ（１）の内周面１１と嵌合し得るように同様に円錐台面を形成している。
雄型ランプベースＢ（２）には、図示していないが、電球もしくは発光ダイオードの電極部があり、電源ケーブルと接続できる構成になっている。この電極部は、電球もしくは発光ダイオードと装着できる構造（螺接構造など）になっている。
【００２４】
また、図１−２において、３は雄型部材Ｃで、４は雌型ランプベースＤである。雄型部材Ｃ（３）の外周面３１は円錐台面を形成し、また雌型ランプベースＤ（４）の内周面４１は雄型部材Ｃ（３）の外周面３１と嵌合し得るように同様に円錐台面を形成している。
雌型ランプベースＤ（４）には、図示していないが、電球もしくは発光ダイオードの電極部があり、電源ケーブルと接続できる構成になっている。この電極部は、電球もしくは発光ダイオードと装着できる構造（螺接構造など）になっている。
【００２５】
次に、雌型部材Ａ（１）の内周面１１と雄型ランプベースＢ（２）の外周面２１、若しくは、雄型部材Ｃ（３）の外周面３１と雌型ランプベースＤ（４）の内周面４１とに挟接される筒状体Ｃの一例として、和紙を利用したものについて説明する。
また、図２は、和紙を利用して筒状体Ｃを作製する様子を示している。
先ず、（ａ）平面矩形の和紙５を用意する。次に、（ｂ）和紙５の両端を持って筒を形成するように丸めていく。そして、（ｃ）和紙５の両端を重ね合わせ、逆テーパー状を形成するように形状を整える。（ｄ）雌型部材Ａ（１）若しくは雌型ランプベースＤ（４）に差し込んで、逆テーパー状の形状の母線の傾斜角度を調整して筒状体Ｃ（６）が完成する。
【００２６】
次に、図３−１および図３−２に、本考案の照明具の組立ての様子を示す。
図３−１に示すように、内周面が略円錐台面を構成する雌型部材Ａ（１）と、外周面が略円錐台面を構成する雄型ランプベースＢ（２）とが、上記で逆円錐台状に形成した和紙５を挟んで嵌合することにより、和紙５が雌型部材Ａ（１）と雄型ランプベースＢ（２）とで圧接されて固定されることになる。雌型部材Ａ（１）と雄型ランプベースＢ（２）とで圧接されて固定された和紙５は、照明具のハウジングカバーの筒状体Ｃ（６）を形成するのである。
【００２７】
また、図３−２に示すように、外周面が略円錐台面を構成する雄型部材Ｃ（３）と、内周面が略円錐台面を構成する雌型ランプベースＤ（４）とが、上記で逆円錐台状に形成した和紙５を挟んで嵌合することにより、和紙５が雄型部材Ｃ（３）と雌型ランプベースＤ（４）とで圧接されて固定されることになる。雄型部材Ｃ（３）と雌型ランプベースＤ（４）とで圧接されて固定された和紙５は、照明具のハウジングカバーの筒状体Ｃ（６）を形成するのである。
【００２８】
図４は、雌型ランプベースの構造を示している。図４に示すように、雌型ランプベースＤの底面部は、担持部７によりランプベースと内周面４１とを接続されている。これは、和紙などで作製される円筒部６の底面部が水平にならないことを考慮したものである。すなわち、矩形の和紙などを丸めて円筒部を作製した場合、底面部は水平とはならず、斜めに突き出すことになる。図４のように、雌型ランプベースＤの担持部７以外の箇所は、底面が抜けているので、斜めに突き出していようとも円筒部を雌型ランプベースＤに装着することができるのである。
【実施例１】
【００２９】
実施例１では、本考案に係る組立て照明部材を用いた行灯タイプの照明装置を説明する。図５は、本考案に係る組立て照明部材を用いた行灯タイプの照明装置を示している。
床や棚に直置きする行灯タイプの場合、雌型ランプベースＤ（４）を支える脚部８を用意して設置することができる。なお、雌型部材Ａ（１）を用いて、支える脚部５を用意して設置してもよい。なお、電源ケーブルは図示していない。
【実施例２】
【００３０】
実施例２では、本考案に係る組立て照明部材を用いた電灯タイプの照明装置を説明する。図６は、本考案に係る組立て照明部材を用いた電灯タイプの照明装置を示している。
天井吊り下げ照明もしくは天井取付け照明等の電灯タイプの場合、雄型部材Ｃ（３）或いは雄型ランプベースＢ（２）は天井の吊り下げ部もしくは天井部と係止し得る連結機構（引掛けシーリングなど）を介して取り付けることができる。天井の吊り下げ部は、雄型部材Ｃ（３）或いは雄型ランプベースＢ（２）と連結されるため、図に示されるように円錐台状の形状によって外側の雌型ランプベースＤ（４）或いは雌型部材Ａ（１）が落下することが無い。
【実施例３】
【００３１】
実施例３では、本考案に係る組立て照明部材を用いたブラケット等の壁掛けタイプ（壁上型）の照明装置を説明する。図７は、本考案に係る組立て照明部材を用いた壁掛けタイプの照明装置を示している。壁掛けタイプの場合、アーム部を設けることで壁に取り付けることができる。図７に示すように、組立て照明部材の雌型ランプベースＤ（４）或いは雌型部材Ａ（１）にアーム部９がとりつけられ、雌型ランプベースＤ（４）或いは雌型部材Ａ（１）が逆円錐台状に配置されることで、上方から雄型部材Ｃ（３）或いは雄型ランプベースＢ（２）が自身の重みで雌型ランプベースＤ（４）或いは雌型部材Ａ（１）と嵌合するので、和紙５が安定的に雌型ランプベースＤ（４）或いは雌型部材Ａ（１）と雄型部材Ｃ（３）或いは雄型ランプベースＢ（２）とで圧接されて固定され筒状体Ｃ（６）を形成している。
【実施例４】
【００３２】
実施例４では、本考案に係る組立て照明部材を用いたブラケット等の壁掛けタイプ（壁下型）の照明装置を説明する。図８は、本考案に係る組立て照明部材を用いた壁掛けタイプの照明装置を示している。壁掛けタイプの場合、アーム部を設けることで壁に取り付けることができる。図８に示すように、組立て照明部材の雄型部材Ｃ（３）或いは雄型ランプベースＢ（２）にアーム部９がとりつけられ、雄型部材Ｃ（３）或いは雄型ランプベースＢ（２）が円錐台状に配置されることで、上方から雌型ランプベースＤ（４）或いは雌型部材Ａ（１）が自身の重みで雄型部材Ｃ（３）或いは雄型ランプベースＢ（２）と嵌合するので、和紙５が安定的に雌型ランプベースＤ（４）或いは雌型部材Ａ（１）と雄型部材Ｃ（３）或いは雄型ランプベースＢ（２）とで圧接されて固定され筒状体Ｃ（６）を形成している。
ここで、雄型部材Ｃ（３）或いは雄型ランプベースＢ（２）にとりつけられるアーム部９の長さは、ハウジングカバーとなる筒状体Ｃ（６）の長手方向の長さを考慮する必要があるが、和紙を利用して筒状体Ｃを作製する様子（図２参照）で説明したように、完全に筒状体を形成する必要がなく、一部に切れ込み部１０が形成されてもよいので、この切れ込み部１０の位置とアーム部９の位置を合わせることでアーム部９を目立たなくすることが可能となる。
【産業上の利用可能性】
【００３３】
本考案に係る組立て照明部材は、照明装置として活用できる。また、照明具のハウジングカバーとして和紙の活用が期待でき、和紙の業界の活性化が期待される。
【図面の簡単な説明】
【００３４】
【図１−１】本考案に係る組立て照明部材を示す。
【図１−２】本考案に係る組立て照明部材を示す。
【図２】和紙を利用して筒状体Ｃを作製する様子を示す。
【図３−１】本考案の照明具の組立ての様子を示す。
【図３−２】本考案の照明具の組立ての様子を示す。
【図４】雌型ランプベースの構造を示す。
【図５】本考案に係る組立て照明部材を用いた行灯タイプの照明装置を示す。
【図６】本考案の係る組立て照明部材を用いた電灯タイプの照明装置を示す。
【図７】本考案の係る組立て照明部材を用いた壁掛けタイプ（壁上型）の照明装置を示す。
【図８】本考案の係る組立て照明部材を用いた壁掛けタイプ（壁下型）の照明装置を示す。
【符号の説明】
【００３５】
１  雌型部材Ａ
２  雄型ランプベースＢ
３  雄型部材Ｃ
４  雌型ランプベースＤ
５  和紙
６  筒状体Ｃ
７  担持部
８  脚部
９  アーム部
１０  切れ込み部
１１，４１  内周面
２１，３１  外周面
【図１−１】
0003124987.tif 000003
【図１−２】
0003124987.tif 000004
【図２】
0003124987.tif 000005
【図３−１】
0003124987.tif 000006
【図３−２】
0003124987.tif 000007
【図４】
0003124987.tif 000008
【図５】
0003124987.tif 000009
【図６】
0003124987.tif 000010
【図７】
0003124987.tif 000011
【図８】
0003124987.tif 000012